(57)【要約】【課題】フランジバックの変化を防ぐことが可能な撮像装置を提供すること。【解決手段】外装部材の少なくとも一部を固定する複数の第一の固定部と、レンズマウントを固定する複数の第二の固定部とを有し、任意の第二の固定部に対して最も近い第一の固定部までの撮像素子に入射する光線の光軸に対する垂直面上において、光軸方向から投影した距離が、任意の第二の固定部に対して最も近い保持部までの撮像素子に入射する光線の光軸に対する垂直面上において、光軸方向から投影した距離よりも短いことを特徴とする。【選択図】図４
2016133695.tif 000002
【特許請求の範囲】
【請求項１】
撮像素子と、
前記撮像素子を保持する撮像素子ユニットと、
前記撮像素子ユニットを保持する複数の保持部を有する固定部材と、
前記固定部材に固定されるレンズマウントと、
外装部材と、
を有する撮像装置において、
前記固定部材は、前記外装部材の少なくとも一部を固定する複数の第一の固定部と、
前記レンズマウントを固定する複数の第二の固定部と、を有し、
任意の前記第二の固定部に対して最も近い前記第一の固定部までの、前記撮像素子に入射する光線の光軸に対する垂直面上において、光軸方向から投影した距離が、任意の前記第二の固定部に対して最も近い前記保持部までの、前記撮像素子に入射する光線の光軸に対する垂直面上において、光軸方向から投影した距離よりも短いことを特徴とする撮像装置。
【請求項２】
前記第二の固定部が、前記撮像素子に入射する光線の光軸に対する垂直面上において、光軸方向から投影した面上で、前記任意の前記第二の固定部に対して最も近い前記第一の固定部と、任意の前記第二の固定部に対して最も近い前記保持部と、の間に介在していることを特徴とする請求項１に記載の撮像装置。
【請求項３】
前記固定部材は、光学フィルタ切り替え装置を固定する、複数の第三の固定部を有し、任意の前記第三の固定部に対して最も近い前記第一の固定部までの、前記撮像素子に入射する光線の光軸に対する垂直面上において、光軸方向から投影した距離が、任意の前記第三の固定部に対して最も近い前記保持部までの、前記撮像素子に入射する光線の光軸に対する垂直面上において、光軸方向から投影した距離よりも短いことを特徴とする請求項１又は請求項２に記載の撮像装置。
【請求項４】
前記第二の固定部が、前記撮像素子に入射する光線の光軸に対する垂直面上において、光軸方向から投影した面上で、前記任意の前記第二の固定部に対して最も近い前記第三の固定部と、任意の前記第二の固定部に対して最も近い前記保持部と、の間に介在していることを特徴とする請求項１乃至請求項３の何れか一項に記載の撮像装置。
【発明の詳細な説明】
【技術分野】
【０００１】
本発明は、レンズ交換型の撮像装置に関する。
【背景技術】
【０００２】
レンズ交換型の撮像装置において、レンズマウントから撮像面までの距離（以降、フランジバックと呼ぶ）は、精度の高い調整が必要である。特許文献１には、レンズの保持枠を移動することでフランジバックを補正するフランジバック調整機構を持つレンズが提案されている。
【先行技術文献】
【特許文献】
【０００３】
【特許文献１】特願平６−６７４３７号公報
【発明の概要】
【発明が解決しようとする課題】
【０００４】
しかしながら、上記特許文献１の従来例では、フランジバック調整時にフランジバックの精度を上げることは出来るが、精度の高いまま維持する構造となっていない。このため、フランジバックに関わる構造に外力が加わった時、構造が変形しフランジバックが変化するといった問題があった。
【０００５】
本発明の目的は、フランジバックの変化を防ぐことが可能な撮像装置を提供することにある。
【課題を解決するための手段】
【０００６】
上記の目的を達成するために、本発明の撮像装置は、撮像素子と、前記撮像素子を保持する撮像素子ユニットと、前記撮像素子ユニットを保持する複数の保持部を有する固定部材と、前記固定部材に固定されるレンズマウントと、外装部材と、を有する撮像装置において、前記固定部材は、前記外装部材の少なくとも一部を固定する複数の第一の固定部と、前記レンズマウントを固定する複数の第二の固定部と、を有し、任意の前記第二の固定部に対して最も近い前記第一の固定部までの、前記撮像素子に入射する光線の光軸に対する垂直面上において、光軸方向から投影した距離が、任意の前記第二の固定部に対して最も近い前記保持部までの、前記撮像素子に入射する光線の光軸に対する垂直面上において、光軸方向から投影した距離よりも短いことを特徴とする。
【発明の効果】
【０００７】
本発明の撮像装置によれば、フランジバックに関わる構造に外力が加わりにくい構成であるため、フランジバックの変化を防ぐことが可能となる。
【図面の簡単な説明】
【０００８】
【図１】本発明の実施形に係る撮像装置を示した、撮像装置正面から見た斜視図である。
【図２ａ】本発明の実施形に係る撮像装置における、撮像装置内部構造の分解斜視図である。
【図２ｂ】本発明の実施形に係る撮像装置における、撮像装置内部構造の分解斜視図である。
【図３ａ】本発明の実施形に係る撮像装置における、固定部の単部品図である。
【図３ｂ】本発明の実施形に係る撮像装置における、固定部の単部品図である。
【図４】本発明の実施形に係る撮像装置における、撮像装置の正面図である。
【発明を実施するための形態】
【０００９】
以下、本発明を実施するための形態を図面に基づいて説明する。
【００１０】
図１は本発明の実施形に係る撮像装置を示した、撮像装置正面から見た斜視図である。内部構造を説明するため、撮像装置１００の外観部は点線で示す。
【００１１】
撮像装置１００は、レンズマウント４００と、撮像素子ユニット３００と、光学フィルタ切り替え装置５００と、固定部２００と、で構成される。
【００１２】
図２は本発明の実施形に係る撮像装置における、撮像装置内部構造の分解斜視図である。図２ａは撮像装置前面から見た分解斜視図を示し、図２ｂは撮像装置背面から見た分解斜視図を示す。
【００１３】
撮像装置１００は、固定部材バカ穴１１０ａ〜ｄ、を備える。固定部材バカ穴１１０ａ〜ｄは、撮像装置１００の正面に配設される。レンズマウント４００は、撮像装置１００の正面に配設され、レンズ（図示せず）の交換が可能である。レンズマウント４００は、レンズマウント面４１１と、固定部材バカ穴４１５ａ〜ｄと、を備える。レンズマウント面４１１は、レンズとの当接面であり、フランジバックの測定基準面である。固定部材バカ穴４１５ａ〜ｄは、レンズマウント４００の周囲に配設される。
【００１４】
撮像素子ユニット３００は、撮像素子３１０と、撮像素子基板３２０と、撮像素子保持部材３３０と、を含む。撮像素子ユニット３００は、撮像装置１００の内部に配設され、映像信号を出力する。
【００１５】
撮像素子３１０は、撮像面３１１と、固定面３１３と、を備える。撮像素子３１０は、結像した画像を画像データに変換して取得する。撮像面３１１は、レンズから入射した光が結像する。なお、撮像面３１１は、フランジバックの測定基準面である。固定面３１３は、撮像素子３１０の撮像面３１１側とは反対の面に配設される。
【００１６】
撮像素子基板３２０は、撮像素子３１０から出力された映像信号を処理する。処理された映像信号は、メイン基板（図示せず）でさらに処理される。
【００１７】
撮像素子保持部材３３０は、撮像素子固定部３３１と、固定部材バカ穴３３２ａ〜ｃと、を有する。撮像素子固定部３３１は、撮像素子３１０の固定面３１３と当接する。この当接部を接着剤（図示せず）で固定する。固定部材バカ穴３３２ａ〜ｃは、撮像素子固定部３３１の周囲に配設される。なお、撮像素子に入射する光線の光軸に対する垂直面のこと、以後、光軸投影上、と呼ぶ。
【００１８】
光学フィルタ切り替え装置５００は、撮像装置１００の内部に配設され、レンズから入射した光の量を適切に調整する。光学フィルタ切り替え装置５００は、固定部材締結部５０２ａ〜ｄ、を備える。固定部材締結部５０２ａ〜ｄは、撮像装置１００の正面に配設される。固定部２００は、撮像装置１００の前面内部に固定される。
【００１９】
図３は本発明の実施形に係る撮像装置における、固定部の単部品図である。図３ａは撮像装置前面から見た解斜視図を示し、図３ｂは撮像装置背面から見た斜視図を示す。
【００２０】
固定部２００は、撮像装置締結部２１１ａ〜ｄと、レンズマウント締結部２１４ａ〜ｄと、光学フィルタ切り替え装置バカ穴２１５ａ〜ｄと、撮像素子ユニット保持部２２３ａ〜ｃと、撮像素子ユニット締結部２１３ａ〜ｃと、を備える。
【００２１】
撮像装置締結部２１１ａ〜ｄは、撮像装置１００の固定部材バカ穴１１０ａ〜ｄを挿通したビス（図示せず）、により締結される。
【００２２】
レンズマウント締結部２１４ａ〜ｄは、レンズマウント４００の固定部材バカ穴４１５ａ〜ｄを挿通したビス（図示せず）、により締結される。
【００２３】
光学フィルタ切り替え装置バカ穴２１５ａ〜ｄは、ビス（図示せず）を挿通させ、光学フィルタ切り替え装置５００の固定部材締結部５０２ａ〜ｄに締結される。
【００２４】
撮像素子ユニット保持部２２３ａ〜ｃは、光学フィルタ切り替え装置５００を光軸方向の投影面上で避けて、レンズマウント４００側から、撮像素子ユニット３００側に向かって突設される。なお、光軸は図３中に一点鎖線で示す。
【００２５】
撮像素子ユニット締結部２１３ａ〜ｃは、撮像素子ユニット保持部２２３ａ〜ｃの先端に配設され、撮像素子ユニット３００の固定部材バカ穴３３２ａ〜ｃを挿通したビス、に締結される。
なお、締結の順序は、上記の記述順である。
【００２６】
撮像素子ユニット３００を締結するとき、撮像素子ユニット３００と、固定部２００の撮像素子ユニット締結部２１３ａ〜ｃと、の間に任意の厚みを持ったワッシャ（図示せず）を挟むことで、レンズマウント面４１１から撮像面３１１までの距離（フランジバック）を調整することが可能である。このとき、撮像素子ユニット保持部２２３ａ〜ｃに応力集中が発生し、保持部が微小に変形した場合は、フランジバックが変化してしまう可能性がある。
【００２７】
図４は本発明の実施形に係る撮像装置における、撮像装置の正面図である。見易さの観点から、撮像装置１００の外観部と、レンズマウント４００と、は示さない。また、不可視の撮像素子ユニット締結部２１３ａ〜ｃは、光軸方向の投影面上の位置を透過させて示す。
【００２８】
レンズマウント締結部２１４ａに最も近い撮像素子ユニット締結部２１３ａ〜ｃは、撮像素子ユニット締結部２１３ａである。また、レンズマウント締結部２１４ａに最も近い撮像装置締結部２１１ａ〜ｄは、撮像装置締結部２１１ａである。また、レンズマウント締結部２１４ａに最も近い光学フィルタ切り替え装置バカ穴２１５ａ〜ｄは、光学フィルタ切り替え装置バカ穴２１５ａである。
【００２９】
レンズマウント締結部２１４ａから光軸方向の投影面上で距離が近いのは、撮像装置締結部２１１ａ、光学フィルタ切り替え装置バカ穴２１５ａ、撮像素子ユニット締結部２１３ａの順である。
【００３０】
以上の配置にすることで、レンズや、撮像装置１００の外装や、光学フィルタ切り替え装置５００に、外力が加わっても、フランジバックが変化することを防ぐことが可能となる。
【００３１】
まず、レンズに外力が加わった場合について述べる。レンズに外力が加わると、レンズマウント面４１１を介し、レンズマウント締結部２１４ａに応力が伝わる。伝わった応力は、固定部２００を介して、撮像装置締結部２１１ａや撮像素子ユニット締結部２１３ａに伝わろうとする。このとき、応力集中は、レンズマウント締結部２１４ａと距離の近い撮像装置締結部２１１ａとの間で最も発生する。これにより、撮像素子ユニット締結部２１３ａ側には応力が伝搬しないため、撮像素子ユニット保持部２２３ａは変形することを防ぎ、フランジバックを保つことが可能となる。
【００３２】
続いて、撮像装置１００の外装に外力が加わった場合について述べる。撮像装置１００の外装に外力が加わると、撮像装置１００の固定部材バカ穴１１０ａを介し、撮像装置締結部２１１ａに応力が伝わる。伝わった応力は、固定部２００を介して、レンズマウント締結部２１４ａや撮像素子ユニット締結部２１３ａに伝わろうとする。このとき、応力集中は、撮像装置締結部２１１ａと距離の近いレンズマウント締結部２１４ａとの間で局所的に発生する。これにより、撮像素子ユニット締結部２１３ａまでは応力が伝搬しないため、撮像素子ユニット保持部２２３ａは変形することを防ぎ、フランジバックを保つことが可能となる。
【００３３】
続いて、光学フィルタ切り替え装置５００に、衝撃などで内部構造部品と接触して、外力が加わった場合について述べる。光学フィルタ切り替え装置５００に外力が加わると、光学フィルタ切り替え装置５００の固定部材締結部５０２ａを介し、光学フィルタ切り替え装置バカ穴２１５ａに応力が伝わる。伝わった応力は、固定部２００を介して、撮像装置締結部２１１ａ、レンズマウント締結部２１４ａ、撮像素子ユニット締結部２１３ａの順に伝わろうとする。このときも前述と同様に、応力集中が、距離の近い撮像装置締結部２１１ａとの間で局所的に発生する。これにより、撮像素子ユニット締結部２１３ａまでは応力が伝搬しないため、撮像素子ユニット保持部２２３ａは変形することを防ぎ、フランジバックを保つことが可能となる。
【００３４】
これらのことは、撮像装置締結部２１１ｂ〜ｄ、及びレンズマウント締結部２１４ｂ〜ｄ、及び光学フィルタ切り替え装置バカ穴２１５ｂ〜ｄ、及び撮像素子ユニット保持部２２３ｂ〜ｃ、についても同様のことが言える。
【００３５】
このように、フランジバックにおいて支配的である撮像素子ユニット保持部２２３ａ〜ｃに応力が伝搬することを防ぐことで、外力によるフランジバックの変化を防ぐことが可能となる。
【符号の説明】
【００３６】
１００  撮像装置、２００  固定部、３００  撮像素子ユニット、
４００  レンズマウント、５００  光学フィルタ切り替え装置
【図１】
2016133695.tif 000003
【図２ａ】
2016133695.tif 000004
【図２ｂ】
2016133695.tif 000005
【図３ａ】
2016133695.tif 000006
【図３ｂ】
2016133695.tif 000007
【図４】
2016133695.tif 000008